(57)【特許請求の範囲】
【請求項１】
前面に遊技球が流下可能な遊技領域を形成された遊技盤と、前記遊技領域内に設けられ、遊技球が進入可能であるとともに進入した遊技球を前記遊技盤の後面側へ排出する少なくとも１つの進入手段と、前記進入手段へ進入しなかった遊技球を前記遊技盤の後面側へ排出する排出口と、前記遊技領域へ遊技球を打ち込むための発射手段と、前記発射手段へ供給される遊技球を貯留可能な上皿とを備えた遊技機本体が、キャスターを有する台車上に設置されてなる遊技機であって、
遊技盤の後面で、全ての進入手段及び排出口よりも下方となる位置に、
下方へ凹んだ皿状で、底面が連通口側へ向かって下降傾斜する傾斜面とされた受け止め部を有する循環手段を、前記受け止め部の少なくとも一部が前記進入手段及び排出口よりも下方に位置するように、前記遊技盤の後面に設置しており、
前記進入手段へ進入した遊技球、及び前記排出口から排出される遊技球を、前記循環手段を介して前記皿部内へ返却可能としたものであり、かつ、
前記上皿に、上皿の球抜きレバーの操作部を挿通可能な挿通孔を設けた上皿カバーが取り付けられており、球抜きレバーの操作ができないようになっていることを特徴とする遊技機。
【請求項２】
前記遊技盤の後側に電源装置が設置されているとともに、前記遊技盤の後側における前記電源装置よりも上方となる位置に、前記進入手段への遊技球の進入を検出して遊技に係る主たる動作を制御する制御装置が設置されており、
前記循環手段の前記受け止め部の少なくとも一部が、上下方向で前記電源装置と前記制御装置との間に位置していることを特徴とする請求項１に記載の遊技機。
【請求項３】
前記循環手段が、フッ素含有ポリカーボネートによって形成されたものであることを特徴とする請求項１、または請求項２に記載の遊技機。
【発明の詳細な説明】
【技術分野】
【０００１】
本発明は、たとえば遊技球を循環させて遊技する独立単体型パチンコ機等といった遊技機に関するものである。
【背景技術】
【０００２】
従来、たとえば特許文献１に記載されているように、キャスター付きの支持台にパチンコ機を設置してなる独立単体型パチンコ機が知られている。そして、このようなパチンコ機には、遊技球を循環させるべく、遊技領域から排出された遊技球をパチンコ機本体の下方に設置される箱体で一旦受け止めた後、モータ等を有するリフト手段を駆動させて箱体をパチンコ機の上部まで持ち上げ、玉貸しする遊技球を貯留するための貯留凹部へ箱体内の遊技球を補給するといったような循環装置が設置されている。
【先行技術文献】
【特許文献】
【０００３】
【特許文献１】特開２０１３−２５２３９３号公報
【発明の概要】
【発明が解決しようとする課題】
【０００４】
しかしながら、リフト手段等を備えた上記循環装置は大掛かりなものであり、遊技機が大型化するし、製造コスト及び運転コスト共にコスト高を招くという問題もある。
【０００５】
そこで、本発明は、上記問題に鑑みなされたものであって、リフト手段等を備えた循環装置を必要としない遊技機を提供しようとするものである。
【課題を解決するための手段】
【０００６】
上記目的を達成するために、本発明のうち請求項１に記載の発明は、前面に遊技球が流下可能な遊技領域を形成された遊技盤と、前記遊技領域内に設けられ、遊技球が進入可能であるとともに進入した遊技球を前記遊技盤の後面側へ排出する少なくとも１つの進入手段と、前記進入手段へ進入しなかった遊技球を前記遊技盤の後面側へ排出する排出口と、前記遊技領域へ遊技球を打ち込むための発射手段と、前記発射手段へ供給される遊技球を貯留可能な上皿とを備えた遊技機本体が、キャスターを有する台車上に設置されてなる遊技機であって、遊技盤の後面で、全ての進入手段及び排出口よりも下方となる位置に、下方へ凹んだ皿状で、底面が連通口側へ向かって下降傾斜する傾斜面とされた受け止め部を有する循環手段を、前記受け止め部の少なくとも一部が前記進入手段及び排出口よりも下方に位置するように、前記遊技盤の後面に設置しており、前記進入手段へ進入した遊技球、及び前記排出口から排出される遊技球を、前記循環手段を介して前記皿部内へ返却可能としたものであり、かつ、前記上皿に、上皿の球抜きレバーの操作部を挿通可能な挿通孔を設けた上皿カバーが取り付けられており、球抜きレバーの操作ができないようになっていることを特徴とする遊技機。
【０００７】
請求項２に記載の発明は、請求項１に記載の発明において、前記遊技盤の後側に電源装置が設置されているとともに、前記遊技盤の後側における前記電源装置よりも上方となる位置に、前記進入手段への遊技球の進入を検出して遊技に係る主たる動作を制御する制御装置が設置されており、前記循環手段の前記受け止め部の少なくとも一部が、上下方向で前記電源装置と前記制御装置との間に位置していることを特徴とする。
【０００８】
請求項３に記載の発明は、請求項１、または請求項２に記載の発明において、前記循環手段が、フッ素含有ポリカーボネートによって形成されたものであることを特徴とする。
【発明の効果】
【０００９】
本発明によれば、遊技盤に、皿部内に連通する連通口を開設する一方、下方へ凹んだ皿状で、連通口と連通しているとともに、底面が連通口側へ向かって下降傾斜する傾斜面とされた受け止め部を有する循環手段を、受け止め部の少なくとも一部が進入手段及び排出口よりも下方に位置するように、遊技盤の後面に設置している。そして、進入手段へ進入した遊技球、及び排出口から排出される遊技球を、循環手段を介して皿部内へ返却可能としている。したがって、リフト手段等により遊技球を循環させていた従来の遊技機と比較すると、遊技球の循環に係る構造が非常に簡易化されており、遊技機を小型化することができるし、製造コストを低減することができる。また、従来の遊技機の如く遊技球の循環に別途動力を必要としないため、運転コストの低コスト化をも図ることができる。
【００１０】
また、請求項２に記載の発明によれば、遊技盤の後側に電源装置を設置するとともに、遊技盤の後側における電源装置よりも上方となる位置に、進入手段への遊技球の進入を検出して遊技に係る主たる動作を制御する制御装置を設置し、循環手段の受け止め部の少なくとも一部を、上下方向で電源装置と制御装置との間に位置させている。すなわち、電源装置と制御装置との間の空間を利用して循環手段を設置しているため、従来周知の循環型でない遊技機に循環手段を容易に後付けすることができ、従来周知の循環型でない遊技機を本発明の遊技機本体として使い回すことができる等、製造コストの一層の削減を図ることができる。
【００１１】
請求項３に記載の発明は、循環手段がフッ素含有ポリカーボネートによって形成されたものであるため、遊技球が機台内を循環し続ける際に汚れが付着しにくく、球詰まり等のトラブルが生じにくい。
【図面の簡単な説明】
【００１２】
【図１】支持台付きのパチンコ機の全体を示した斜視説明図である。
【図２】支持台付きのパチンコ機を後側から示した説明図である。
【図３】支持台付きのパチンコ機を右側から示した説明図である。
【図４】支持台を前側から示した斜視説明図である。
【図５】支持台付きのパチンコ機を左上側から示した斜視説明図である。
【図６】背板を組み付ける前の支持台付きのパチンコ機を後側から示した説明図である。
【図７】遊技盤を前面側から示した説明図である
【図８】上皿カバーを示した説明図である。
【図９】パチンコ機の制御機構を示したブロック図である。
【図１０】ｅカウンタの数値と基本変動パターンとの対応を示した説明図である。
【図１１】基本変動パターンと詳細変動パターンとの対応を示した説明図である。
【図１２】上皿部材７を示したものである（ａは、上皿カバーを装着した状態を示したものであり、ｂは、上皿カバーを取り外した状態を示したものである）。
【図１３】循環部材を前方側から示す斜視図である。
【発明を実施するための形態】
【００１３】
以下、本発明の一実施形態となる支持台付きのパチンコ機について、図面にもとづき詳細に説明する。
【００１４】
（支持台の説明）
まず支持台７０の構造について、図１〜図６をもとに説明する。
図１は、支持台付きのパチンコ機の全体を示した斜視説明図である。図２は、支持台付きのパチンコ機を後側から示した説明図である。図３は、支持台付きのパチンコ機を右側から示した説明図である。図４は、支持台７０を前側から示した斜視説明図である。図５は、支持台付きのパチンコ機を左上側から示した斜視説明図である。図６は、背板８０を組み付ける前の支持台付きのパチンコ機を後側から示した説明図である。
【００１５】
支持台７０は、パチンコ機１やカード排出ユニット９１を設置可能で、それらを設置することにより独立単体型パチンコ機を構成するものであって、木製の台車７１と木製のフレーム体７２とを組み立てて形成される。台車７１は、底板７３と、底板７３上に立設される一対の側板７４、７４と、側板７４、７４上に固定される天板７６と、側板７４、７４間にわたり天板７６の底面に沿って架設される補強板７５とを有している。底板７３は、略矩形状に成形された平板の前部に、左右方向で幅広な切り欠き７７を形成してなるもので、底板７３の底面側には、台車７１ひいては支持台７０を所望の位置へ移動させるための４つのキャスター７８、７８・・と、所望の位置で支持台７０を固定するための４つのストッパ７９、７９・・が取り付けられている。また、底板７３における切り欠き７７の左右外側の部位は、その先端が天板７６の前端と略同じ程度まで前方へ大きく突出している。
【００１６】
また、側板７４、７４は、底板７３の左右両側縁に沿って立設されており、各側板７４の前端面は、上方へ向かうにしたがって徐々に後方側へ向かう滑らかな湾曲面として形成されている。さらに、天板７６は、略矩形状に成形された平板であって、底板７３の上方の空間Ｓ１を覆うように側板７４、７４の上端面に固定されている。この天板７６の端面にはラバー部材が取り付けられており、天板７６の端面（特にエッジ）が露出しないようになっている。加えて、補強板７５は、矩形板状に形成された平板であって、天板７６の前後方向で略中央となる位置に、側板７４、７４間にわたり天板７６の底面に沿って下方へ立設されている。
【００１７】
そして、上述したような底板７３、側板７４、７４、天板７６、及び補強板７５を有する台車７１では、切り欠き７７、側板７４、７４、及び天板７６に囲まれた空間が、車椅子や椅子、遊技者の足等を台車７１の内側へ受け入れる空間となる。また、この空間は、後方へ底板７３上の空間Ｓ１にも連通して後側へ広がっており、遊技者が空間Ｓ１へ足を伸ばし入れ可能となっている。さらに、底板７３における切り欠き７７の左右外側の部位が大きく前方へ突出しているため、遊技者が天板７６の前端際に体重をかける等しても、台車７１は前方へ転倒しない。
【００１８】
一方、フレーム体７２は、左右一対の側板８１ａ、８１ｂと、側板８１ａ、８１間に架け渡される天板８２及び底板８３と、天板８２上に立設される上板８４と、側板８１ｂに沿って底板８３と天板８２との間にわたり立設される前板８５と、側板８１ａ、８１ｂ間の空間Ｓ２を後方から覆うように取り付けられる背板８０とを有している。側板８１ａは、フレーム体７２の左側面を構成するものであって、パチンコ機１の機枠３よりも上下方向へ十分に長い略矩形平板状に形成されている。該側板８１ａの上端部には、フレーム体７２同士ひいては支持台７０同士を左右に複数連結可能とするための連結孔８６が穿設されている。一方、側板８１ｂは、フレーム体７２の右側面を構成するものであって、側板８１ａと同じ上下高さを有する略矩形状に形成されており、その上端部には連結孔８６が穿設されている。
【００１９】
また、天板８２は、フレーム体７２の上面を構成するもので、前後方向の長さが側板８１ａ、８１ｂの前後方向の長さよりも短い矩形平板状に形成されており、側板８１ａ、８１ｂの下端からパチンコ機１の機枠３の上下高さと略同じ高さとなる位置において、側板８１ａ、８１ｂ間に架け渡されている。そして、天板８２には、下方へねじ込み可能な一組の固定ボルト８８、８８が取り付けられており、当該固定ボルト８８、８８を機枠３の上面へねじ込むことにより、パチンコ機１を固定可能としている。さらに、底板８３は、フレーム体７２の底面を構成するもので、側板８１ａ、８１ｂの下端同士を連結するように組み付けられている。該底板８３は、略矩形状に形成された平板の前部に、左端部から機枠３の左右方向での長さと略同じ左右長さにわたり、後方へ切り欠かれた切り欠き部８９を設けてなるもので、後述の如く支持台７０の組み立て後、切り欠き部８９内へ機枠３の底部を入れ込むことにより、パチンコ機１の支持台７０への設置位置を位置決め可能となっている。
【００２０】
さらにまた、上板８４は、天板８２の前縁に沿って立設される矩形平板状の部材であって、前面略中央部には、パチンコ機１の遊技履歴を表示するための履歴表示装置５７が設置されている。加えて、前板８５は、上下方向に長い矩形平板状の部材であって、側板８１ｂの前縁に沿って下端から天板８２の下面にわたり立設されている。そして、前板８５の左端面と側板８１ａとの間の左右方向での距離が、機枠３の左右方向での長さと略同じとなっている。また、前板８５には、遊技カード（図示せず）を前板８５の前面側へ排出するためのカード排出ユニット９１が設置されている。カード排出ユニット９１は、排出用スリット９２及び排出報知ＬＥＤ９３、９３・・を有する前側装置９４と、内蔵するカードを一枚ずつ排出する排出装置９５とを備えてなる。そして、前側装置９４は前板８５の前面に、排出装置９５は前板８５の後面に固定された載置板９６上に夫々設置されている。
【００２１】
加えて、背板８０は、左右方向長さが側板８１ａ、８１ｂ間の距離と略同じ長さで、上下方向長さが側板８１ａ、８１ｂよりも短くされた矩形平板状の部材である。そして、該背板８０は、左右両端縁が側板８１ａ、８１ｂの後端面に当接させて組み付けられ、側板８１ａ、８１ｂ間の空間Ｓ２を後方から覆っている。また、背板８０の前面の所定位置には、吸音材８７が貼着されている。
【００２２】
以上のように構成される台車７１及びフレーム体７２からなる支持台７０は、台車７１とフレーム体７２とに分割された状態で保管・運搬等される。そして、所望の位置に台車７１を固定した後、フレーム体７２を台車７１の天板７６上にセットし、ボルト等を用いてフレーム体７２の底板８３と台車７１の天板７６とを強固に連結する。すると、台車７１の天板７６、及びフレーム体７２の側板８１ａ、天板８２、前板８５で囲まれる空間Ｓ２が形成され、当該空間Ｓ２がパチンコ機１の設置空間となる。そこで、パチンコ機１を設置するに際しては、機枠３の底部を切り欠き部８９内へ入れ込み、空間Ｓ２内でパチンコ機１の設置位置を位置決めする。そして、固定ボルト８８を機枠３の上面へ強固にねじ込むとともに、機枠３の底部とフレーム体７２の底板８３とを図示しない連結板を利用して連結することにより、フレーム体７２がパチンコ機１の上面及び左右両側面を囲った状態で、パチンコ機１を設置することができる。なお、当該設置状態においては、補強板７５の上方にパチンコ機１が位置している。
【００２３】
さらに、支持台７０に設置されたパチンコ機１の後方を覆うように、背板８０を組み付ける。この組み付け状態において、背板８０の下端は、側板８１ａ、８１ｂの下端から所定高さだけ上方に位置しており、背板８０の下端と台車７１の天板７６との間に、上下方向に所定幅を有し、空間Ｓ２と外部とを連通させる隙間Ｓ３が形成されている。また、背板８０の上部において、天板８２の後端と背板８０の前面との間に、前後方向に所定幅を有し、空間Ｓ２と外部とを連通させる隙間Ｓ４が形成されている。さらに、背板８０の前面に貼着された吸音材８７が、パチンコ機１の後方（特に、遊技球を循環させるための循環部材２７の後方）に位置している。
【００２４】
なお、当然ながらパチンコ機１を設置した後も、キャスター７８、７８・・を利用した支持台７０の移動は可能である。また、履歴表示装置５７及びカード排出ユニット９１は、支持台７０の組み立て前にフレーム体７２に設置していてもよいし、支持台７０の組み立て後、パチンコ機１の設置に伴い設置してもよい。さらに、支持台７０には、パチンコ機１のプラグを接続可能な変圧装置（図示せず）も設置されており、該変圧装置を介してパチンコ機１を一般の家庭用電源に接続可能としている。
【００２５】
（パチンコ機の説明）
次にパチンコ機１の構造、及びパチンコ機１での遊技について、図１、図５〜図１１をもとに説明する。
図７は、遊技盤２を前面側から示した説明図である。図８は、上皿カバー８を示した説明図であり、（ａ）は上面図、（ｂ）は背面図、（ｃ）は斜め後方から示した斜視説明図である。図９は、パチンコ機１の制御機構を示したブロック図である。図１０は、ｅカウンタの数値と基本変動パターンとの対応を示した説明図である。図１１は、基本変動パターンと詳細変動パターンとの対応を示した説明図である。
【００２６】
パチンコ機１は、遊技盤２の前面に形成された遊技領域１６内へ遊技球を打ち込み、遊技領域１６内を流下させるとともに、打ち込んだ遊技球を循環させて遊技するものであって、遊技盤２は、支持体として機能する機枠３の前面上部に、金属製のフレーム部材であるミドル枠５を介して設置されている。また、遊技盤２の前方には、ガラス板を保持してなる前扉４が、左端縁を軸として片開き可能に機枠３に蝶着されており、該前扉４によって閉塞される遊技盤２の前方空間が遊技領域１６とされている。
【００２７】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる図柄を表示したり、キャラクターを用いた表示演出等を実行するための図柄表示部６が設けられている。さらに、図柄表示部６を囲むように種々の電動役物を備えたセンター部材２６が設置されており、該センター部材２６の左方には、遊技球が通過可能なゲート部材２０が設けられている。さらにまた、遊技領域１６におけるセンター部材２６の下方には、遊技球が進入可能な図柄始動口１９と、一対の翼片を開閉動作可能に備えたチューリップ式電動役物１７と、開閉可能な扉部材を有する特別可動装置１８とが設置されている。加えて、遊技領域１６の最下端部には、遊技球を遊技領域１６から遊技盤２の後方へ排出するための排出口２２が設けられている。なお、遊技領域１６の略全面には、多数の遊技釘が植設されている。また、排出口２２は、図柄始動口１９やチューリップ式電動役物１７、特別可動装置１８等といった全ての進入手段よりも下方に位置している。
【００２８】
一方、機枠３の前面側であって上記遊技盤２の下方には、遊技球を発射装置１０へ供給するための上皿７ａ（図１２参照）を備えた上皿部材７が取り付けられている。また、上皿部材７における上皿の右側には、左側へのスライドにより球抜き機構（図示せず）を作動させ、上皿内の遊技球を下皿１２へ球抜きするための球抜きレバー１１が設けられている。
【００２９】
そして、上皿７ａは、合成樹脂製で半透明の上皿カバー８により覆われている（なお、図１２は、上皿カバー８を装着した状態および取り外した状態の上皿部材７を示したものである）。上皿カバー８の本体６１は、薄板状に形成されており、上皿７ａの形状に応じて前方へ膨出する膨出部を有するカバー部と、カバー部から右方へ一体的に延設された規制部とを有している。また、規制部には、球抜きレバー１１の操作部を挿通可能な挿通孔６２が設けられている。挿通孔６２は、上面視における球抜きレバー１１の操作部の形状と略同じ形状となっている。そして、上皿カバー８の上皿部材７への取り付けにあたって、初期位置（球抜きされない位置）にある球抜きレバー１１の操作部を挿通孔６２へ挿通させることにより、挿通孔６２の開口縁が操作部の外周面（表面）に当接し、球抜きレバー１１の操作が規制されるようになっている。さらに、カバー部の下面には、下方へ突出する壁部６３が、上皿７ａの内周面の形状に沿って延設されている。そして、上皿カバー８により上皿７ａを覆った際、壁部６３の外面が上皿７ａの内周面に当接し、上皿カバー８のガタ付きが防止されるようになっている。なお、上皿カバー８を半透明としたことで、上皿７ａ内での遊技球の状態を確認することができる。したがって、球詰まりの発生等を早期に発見することができる。また、半透明に限らず、透明としてもよいし、不透明としてもよい。
【００３０】
また、上皿部材７の右下側には、発射装置１０を作動させるためのハンドル９が回動操作可能に設置されている。加えて、上皿７ａの前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００３１】
一方、機枠３の後面側の下部には、各種制御基板や各種装置・部材に電源電圧を供給するための電源装置２９が設置されている。また、電源装置２９の上側には、合成樹脂製のカバー状に形成されたセンターカバー（図示せず）が取り付けられており、当該センターカバーの内部には、遊技に係る制御を実行するための制御装置３０、図柄表示部６における表示動作等を制御する表示制御装置５０、ランプ部材１５の点灯／点滅動作等を制御する発光制御装置５１、及びスピーカ１４からの報音動作を制御する音制御装置５２等が設置されている。
【００３２】
さらに、機枠３の後面側（遊技盤２の後面）であって、電源装置２９、制御装置３０の前方には、遊技盤２の排出口２２から後面側へ排出された遊技球を受け止めて、再度、上皿７ａ内へ導くことによって循環させるための循環手段として機能する循環部材２７が設けられている。図１３は、循環部材２７を前方側から示したものであり、循環部材２７は、フッ素を含有したポリカーボネートによって一体的に成形されている。
【００３３】
循環部材２７は、横長な長方形状の基板２７ａの上端縁に、一定幅（約１５ｍｍ）の遊技球回収通路２７ｂを、一定の角度（約５°）で傾斜するように（後方から見て右下がりに）設けたものである。当該遊技球回収通路２７ｂの略中央（左右方向の中央）には、段差が設けられており、後方から見て左側（２７ｂ２）の方が、右側（２７ｂ１）よりもわずかに（約５ｍｍ）高くなっている（図６参照）。また、遊技球回収通路２７ｂの下端際（すなわち、後方から見た右端際）には、略直方体状の導球部２７ｃが、前方へ突出するように設けられており、その上面が、上皿７ａへ遊技球を導くための導球板２７ｄとなっている。
【００３４】
加えて、遊技球回収通路２７ｂの後方側の端縁には、ガード壁２７ｅが連設されており、当該ガード壁２７ｅが、基板２７ａに対して、所定の間隔を隔てて平行に配置された状態になっている。また、当該ガード壁２７ｅの上端縁の大部分（導球板２７ｄの上方を除いた部分）は、略水平になっており、上端縁全体に亘ってガード壁２７ｅの壁面と直交するように、一定幅の折り返し片２７ｆが設けられている。また、導球板２７ｄの上方に位置した折り返し片２７ｆの幅は、他の部分の幅よりも広くなっており、端縁の位置（前後の位置）が、基板２７ａの表面と同一になっている（すなわち、遊技球回収通路２７ｂの上方の折り返し片２７ｆには、幅広な窓が形成された状態になっている）。さらに、基板２７ａの導球部２７ｃと反対の端縁際には、各種の配線を挿通させるための挿通孔２７ｇが穿設されている。
【００３５】
上記の如く、構成された循環部材２７は、基板２７ａの表面をミドル枠５の裏面に当接させた状態で固着（螺着）されている。そして、導球部２７ｃの上面に略水平に設けられた導球板２７ｄが、上皿７ａの基端面と隙間なく連通した状態になっている（すなわち、導球板２７ｄと上皿７ａの基端面とが面一になっている）。
【００３６】
一方、制御装置３０には、大当たり抽選の実行とともに下記部材の動作を制御するメインＣＰＵ３２、ＲＯＭやＲＡＭ等といった記憶手段３３、タイマ３４、及びインターフェイス３５等が搭載された制御基板３１が内蔵されている。そして、該制御基板３１は、インターフェイス３５を介して、図柄始動口１９、チューリップ式電動役物１７、特別可動装置１８、ゲート部材２０、履歴表示装置５７、及びカード排出ユニット９１等と接続されている。また、制御基板３１は、インターフェイス３５を介して、表示制御装置５０、発光制御装置５１、及び音制御装置５２とも電気的に接続されており、後述するような大当たり抽選の結果に応じて、スピーカ１４やランプ部材１５の動作や、図柄表示部６における図柄の表示動作等を制御するようになっている。なお、図９では省略しているが、制御基板３１は、電源装置２９等ともインターフェイス３５を介して接続されている。
【００３７】
記憶手段３３には、チューリップ式電動役物１７を開動作させるか否かの開放抽選に使用するａカウンタ、大当たり抽選に使用するｃカウンタ（大当たり判定用乱数）、図柄表示部８における図柄の確定表示態様を決定するｄカウンタ（確定表示態様決定用乱数）、及び主に図柄の変動時間である基本変動パターンを決定するｅカウンタ（変動時間情報決定用乱数）等の複数のカウンタが内蔵されている。各カウンタは、電源投入時から所定の規則に従って所定の数値の間をごく短時間（たとえば１割込２．０００ｍｓ）のうちに１ずつ加算しながらループカウントするループカウンタであって、当該カウンタを用いた数値の取得は、乱数からの数値の取得とみなすことができる。また、ａカウンタは０〜１０（１１通り）の間を、ｃカウンタは０〜７０（７１通り）の間を、ｄカウンタは０〜８（９通り）の間を、そしてｅカウンタは０〜３０（３１通り）の間を夫々ループカウントするようになっている。そして、メインＣＰＵ３２は、遊技球のゲート部材２０の通過検出を契機としてａカウンタから１つの数値を取得するとともに、遊技球の図柄始動口１９やチューリップ式電動役物１７への進入検出を契機として、ｃカウンタ、ｄカウンタ、及びｅカウンタから夫々１つの数値を取得する（大当たり抽選を実行する）。
【００３８】
また、記憶手段３３には、図柄表示部６に表示する図柄、及びｄカウンタの数値と図柄の確定表示態様とを対応づけた確定表示態様決定テーブル（はずれ時、及び大当たり時の２種類）と、図１０に示す如くｅカウンタの数値と基本変動パターンとを対応づけた基本変動パターン決定テーブルとが記憶されている。この基本変動パターンとは、主に特別図柄及び装飾図柄の変動時間（変動開始から確定表示までの時間）を規定するものである。さらに、記憶手段３３には、図柄の詳細な変動表示態様やキャラクターの動画を用いた表示演出等からなる複数の詳細変動パターンを記憶した変動パターン記憶領域３８とが設けられており、種々の詳細変動パターンが図１１に示す如く上記基本変動パターンと対応づけて記憶されている。
【００３９】
さらにまた、記憶手段３３には、たとえば図柄表示部６において図柄が変動表示中に図柄始動口１９やチューリップ式電動役物１７へ遊技球が進入したような場合に、当該進入に伴うｃカウンタ、ｄカウンタ、及びｅカウンタからの取得数値を保留情報として最大４つまで記憶する保留情報記憶領域３６が設けられている。加えて、記憶手段３３には、保留情報記憶領域３６に記憶されている保留情報を１つずつ移行して記憶可能であり、大当たり抽選の結果が大当たりであるか否か等の大当たり判定を実行するための大当たり判定用記憶領域３７が設けられている。尚、保留情報は、図柄が確定表示される度に記憶した順番で順次大当たり判定用記憶領域３７へ移行されて消化され、該消化に伴って新たな保留情報が記憶可能となる。
【００４０】
以下、上記パチンコ機１における基本的な遊技動作について簡略に説明する。
まずパチンコ機１では、遊技球が図柄始動口１９やチューリップ式電動役物１７へ進入すると、当該進入がメインＣＰＵ３２により検出される（所定条件の充足）とともに、進入した遊技球は循環部材２７により上皿内へ返却される。すると、メインＣＰＵ３２は、進入検出のタイミングでｃカウンタ、ｄカウンタ、及びｅカウンタから夫々１つの数値を取得し、さらに保留情報記憶領域３６に記憶されている保留情報の数が最大値に達しているか否かを確認する。そして、保留情報の数が既に最大値に達していると、ｃカウンタ、ｄカウンタ、及びｅカウンタからの取得数値を記憶することなく削除する。一方、最大値に達していないと、ｃカウンタ、ｄカウンタ、及びｅカウンタからの取得数値を保留情報記憶領域３６に記憶する。
【００４１】
また、メインＣＰＵ３２は、図柄表示部６において図柄を変動表示しているか、それとも確定表示しているかを常に確認しており、図柄を確定表示していると保留情報の有無を確認する。そして、保留情報が存在すると、消化する優先度が最も高い保留情報（ここでは、時間的に最も早く記憶した保留情報）を大当たり判定用記憶領域３７へ移行するとともに、当該保留情報について以下の大当たり判定を実行する。すなわち、保留情報を大当たり判定用記憶領域３７へ移行した時点での遊技状態に対応した大当たり判定用テーブルを参照して、ｃカウンタからの取得数値が所定の「大当たり数値（たとえば通常状態の大当たり判定用テーブルでは、“０”の１通りとなっており、第１特定遊技状態の大当たり判定用テーブルでは、“０”、“５”、“１０”、“１５”、“２０”、“２５”、“３０”、“４０”、“５０”、“６０”の１０通りとなっている）」であるか否か（すなわち、大当たり抽選の結果が「大当たり」であるか否か）を判定するとともに、当該「大当たり」に係る判定結果を踏まえた上で、ｄカウンタからの取得数値にもとづき図柄の確定表示態様を決定する。また、大当たり抽選の結果が「大当たり」である（ｃカウンタからの取得数値が「大当たり数値」である）と、図１０（ｂ）に示す基本変動パターン決定テーブルを用い、ｅカウンタからの取得数値に対応する基本変動パターンを読み出す（すなわち、図柄の変動時間を含む基本変動パターンを決定する）。一方、大当たり抽選の結果が「はずれ」である（ｃカウンタからの取得数値が「大当たり数値」以外の数値である）と、図１０（ａ）に示す基本変動パターン決定テーブルを用い、ｅカウンタからの取得数値に対応する基本変動パターンを読み出す（すなわち、図柄の変動時間を含む基本変動パターンを決定する）。
【００４２】
その後、基本変動パターンに対応する詳細変動パターンを読み出し、図柄表示部６において図柄の変動を開始するとともに、タイマ３４により計時しながら読み出した詳細変動パターンにしたがって図柄表示部６において図柄を変動表示させたり、キャラクターを用いた表示演出等を実行する。そして、読み出した基本変動パターンに応じた図柄の変動時間が経過すると、大当たり抽選の結果を踏まえた上でのｄカウンタからの取得数値にもとづく確定表示態様で、図柄表示部６において図柄を確定表示させる。なお、確定表示する図柄については、たとえば、大当たり抽選の結果が「大当たり」であると、同一の図柄を３つ並べる大当たり図柄表示態様（特別確定表示態様であって、たとえば“７・７・７”や“３・３・３”）で確定表示させる。一方、大当たり抽選の結果が「はずれ」であると、並べて表示する３つの図柄のうち少なくとも１つの図柄が他の２つの図柄とは異なるはずれ図柄表示態様（はずれ確定表示態様であって、たとえば“１・２・３”）で確定表示させる。
【００４３】
さらに、メインＣＰＵ３２は、大当たり抽選の結果が「大当たり」であると、上記図柄の特別確定表示態様での確定表示後、カード排出ユニット９１を作動させ、一枚の遊技カードを排出用スリット９２を介して前板８５の前面側へ排出させるとともに、遊技者により遊技カードが抜き取られるまで排出報知ＬＥＤ９３、９３・・を点灯させ、遊技カードが排出されている旨を遊技者に報知する。
【００４４】
また、メインＣＰＵ３２は、上記遊技カードの排出と共に、特別可動装置１８を所定の第１特別時間（たとえば３０秒間）にわたり開成させる第１特別遊技状態を生起させる。そして、開成している特別可動装置１８への所定個数（たとえば９個）以上の遊技球の進入を検出すると、第１特別遊技状態の終了後、所定の第２特別時間（たとえば３０秒間）にわたる特別可動装置１８の開成を２回繰り返す第２特別遊技状態を生起させる。そして、メインＣＰＵ３２は、第２特別遊技状態が終了すると、第２特別遊技状態が終了してから、大当たり判定において大当たり抽選の結果が「大当たり」となるか、若しくは、図柄が第１特定回数（たとえば５回）確定表示されるかの何れかの条件が満たされるまで、大当たり抽選の結果が「大当たり」となる確率が上述の如く向上した第１特定遊技状態を生起させる。また、第２特別遊技状態が終了してから、大当たり判定において大当たり抽選の結果が「大当たり」となるか、若しくは、図柄が第２特定回数（たとえば３５回）確定表示されるかの何れかの条件が満たされるまで、チューリップ式電動役物１７が開状態となりやすく、且つ、チューリップ式電動役物１７が長時間にわたり開状態となる第２特定遊技状態を生起させる。なお、メインＣＰＵ３２は、大当たり抽選の結果が「大当たり」となることなく、図柄の確定表示回数が第１特定回数に達すると、第１特定遊技状態を終了させ、第２特定遊技状態のみが生起した状態とする。また、大当たり抽選の結果が「大当たり」となることなく、図柄の確定表示回数が第２特定回数に達すると、第２特定遊技状態についても終了させ、通常状態（すなわち、大当たり抽選の結果が「大当たり」となる確率が比較的に低く、且つ、チューリップ電動役物１７が開状態となりにくい状態）とする。さらに、開成した特別可動装置１８に進入した遊技球は、図柄始動口１９やチューリップ式電動役物１７へ進入した場合と同様、循環部材２７により上皿内へ返却される。
一方、第１特別遊技状態が生起したにもかかわらず、開成している特別可動装置１８へ所定個数以上の遊技球が進入しないと、第１特別遊技状態の終了後、第２特別遊技状態を生起させることなく、また第１特定遊技状態や第２特定遊技状態をも生起させることなく、通常状態とする。
【００４５】
なお、チューリップ式電動役物１７の開閉動作もメインＣＰＵ３２で制御しており、遊技球がゲート部材２０を通過すると、当該通過がメインＣＰＵ３２により検出される。すると、メインＣＰＵ３２は、通過検出のタイミングでａカウンタから１つの数値を取得する（開放抽選を行う）とともに、ａカウンタからの取得数値が所定の「開放数値（たとえば第２特定遊技状態が生起していると“０”〜“９”の１０通り、第２特定遊技状態が生起していないと“０”の１通りのみとなっている）」であるか否かを判定する。そして、ａカウンタからの取得数値が「開放数値」である、すなわち開放抽選の結果が「当選」であると、チューリップ式電動役物１７を閉状態から開状態へ所定の態様で作動させる。このとき、第２特定遊技状態が生起していると、たとえば第２特定遊技状態が生起していない場合と比べて長い時間（２秒間）に亘り開状態とすることを断続的に３回繰り返す態様等の特別開放動作態様でチューリップ式電動役物１７を作動させる。また、第２特定遊技状態が生起していないと、たとえば第２特定遊技状態が生起している場合と比べて短い時間（０．２秒）に亘り、しかも１回しか開状態としない等の通常開放動作態様でチューリップ式電動役物１７を作動させる。一方、ａカウンタからの取得数値が「開放数値」でない、すなわち開放抽選の結果が「はずれ」であると、チューリップ式電動役物１７を閉状態のまま作動させない。また、チューリップ式電動役物１７の作動中等に遊技球がゲート部材２０を通過した場合は、上記保留情報と同様、当該通過のタイミングで取得したａカウンタの数値を所定個数まで記憶手段３３に記憶するとともに、チューリップ式電動役物１７の作動が終了する度に記憶した順で開放抽選の結果の確認等を実行するようになっている。
【００４６】
そして、遊技者による上記パチンコ機１での遊技を一般的な流れに沿って説明すると、遊技者は通常状態から遊技を開始することになり、ハンドル９を回動操作して発射装置１０を作動させ、発射通路１３を介して遊技球を遊技領域１６内へ打ち込み、まずは図柄始動口１９への遊技球の進入を狙う。そして、図柄始動口１９へ進入した遊技球による大当たり抽選の結果が「大当たり」となり、第１特別遊技状態が生起すると、排出用スリット９２から排出される遊技カードを抜き取るとともに、開成している特別可動装置１８への所定個数以上の遊技球の進入を狙う。また、第１特別遊技状態の終了後、第２特別遊技状態が生起すると、再度開成している特別可動装置１８への遊技球の進入を狙う。さらに、第２特別遊技状態の終了後、第２特定遊技状態が生起している間は、ゲート部材２０への遊技球の通過、及び第２特定遊技状態にあって頻繁に開状態となるチューリップ式電動役物１７への遊技球の進入を狙う。そして、大当たり抽選の結果が「大当たり」となることなく、図柄の確定表示回数が第２特定回数に達すると、第２特定遊技状態が終了して通常状態へ移行するため、再び図柄始動口１９への遊技球の進入を狙う遊技へと戻る。なお、図柄始動口１９やチューリップ式電動役物１７、特別可動装置１８に進入した遊技球のみならず、何れの部材にも進入することなく排出口２２から排出される遊技球についても、循環部材２７により上皿内へ返却される。
【００４７】
（本実施形態の支持台付きのパチンコ機による効果）
上述したような構成を有する支持台付きのパチンコ機１によれば、遊技盤２の後面で、全ての進入手段及び排出口２２よりも下方となる位置に、下方へ凹んだ皿状で、左端部（前から見て）で上皿７ａへの連通口と連通し、且つ、底面が連通口側へ向かって下降傾斜する傾斜面とされた受け止め部を有する循環部材２７を設置しており、図柄始動口１９やチューリップ式電動役物１７、特別可動装置１８に進入した遊技球、及び何れの部材にも進入することなく排出口２２から排出される遊技球を受け止め部で受け止めた後、上皿７ａへ返却可能としている。したがって、リフト手段等により遊技球を循環させていた従来のパチンコ機と比較すると、遊技球の循環に係る構造が非常に簡易化されており、支持台付きパチンコ機を小型化することができるし、製造コストを低減することができる。また、従来のパチンコ機の如く遊技球の循環に別途動力を必要としないため、運転コストの低コスト化をも図ることができる。
【００４８】
さらに、パチンコ機１においては、上下方向で電源装置２９と制御装置３０との間の空間を利用して循環部材２７を設置しているため、従来周知の循環型でないパチンコ機に循環部材２７を容易に後付けすることができる。したがって、従来周知の循環型でないパチンコ機を、支持台付きパチンコ機における遊技機本体（パチンコ機１）として使い回すことができる等、製造コストの一層の削減を図ることができる。
【００４９】
加えて、パチンコ機１は、循環手段である循環部材２７がフッ素含有ポリカーボネートによって形成されたものであるため、遊技球が機台内を循環し続ける際に汚れが付着しにくく、球詰まり等のトラブルが生じにくい。
【００５０】
加えて、上皿７ａを覆うように取り付けられる上皿カバー８に、球抜きレバー１１の操作部が挿通可能な挿通孔６２を有する規制部を設けている。そして、上皿カバー８の取り付けにあたって、球抜きレバー１１の操作部を挿通孔６２へ挿通させることにより挿通孔６２の開口縁が球抜きレバー１１の操作部の外周面に当接し、球抜きレバー１１の操作が不能となるようにしている。したがって、球抜きレバー１１等を有する従来周知のパチンコ機を用いて支持台付きのパチンコ機を構成したとしても、遊技者が誤って球抜きレバー１１を操作し、上皿７ａ内の遊技球が下皿１２へ球抜きされてしまうといったおそれがない。また、上皿カバー８を取り付けるだけで球抜きレバー１１の操作を不能とすることができるため、球抜きレバー１１と球抜き機構との連係を解除したり、球抜きレバー１１を取り外すといった煩わしい作業が必要でなく、安価に支持台付きのパチンコ機を製造することができる。
【００５１】
また、パチンコ機１が設置される側板８１ａ、８１ｂ間の空間Ｓ２を後方から覆うように背板８０を組み付けるとともに、背板８０の前面で、特に循環部材２７の後方を含むような位置に、吸音材８７を貼着している。したがって、循環部材２７上へ落下したり、循環部材２７上を転動したりする遊技球が発する騒音を低減することができる。
さらに、背板８０を組み付けた際に、背板８０の下端と台車７１の天板７６との間に空間Ｓ２と外部とを連通させる隙間Ｓ３が、フレーム体７２の天板８２の後端と背板８０の上部の前面との間に空間Ｓ２と外部とを連通させる隙間Ｓ４が夫々形成されるようにしている。そのため、制御装置３０等から生じた熱により、空間Ｓ２内において隙間Ｓ３から隙間Ｓ４へと流れる空気流が発生することになる。したがって、パチンコ機１の後側に熱がこもりにくく、空間Ｓ２内に熱がこもって制御装置３０に悪影響を及ぼす等の問題が生じない。
【００５２】
さらにまた、支持台７０が、キャスター７８、７８・・付きの台車７１と、フレーム体７２とを組み立ててなるものであるため、台車７１とフレーム体７２とに分割した状態で夫々別個に保管・運搬等することができる。したがって、支持台７０の保管や運搬に係る作業を容易なものにすることができ、介護施設等への導入も容易となる。
またさらに、台車７０の底板７３の前部に切り欠き７７を形成し、切り欠き７７、側板７４、７４、及び天板７６に囲まれた空間を、車椅子や椅子、遊技者の足等を台車７０の内側へ受け入れる空間としている。加えて、この空間を、後方へ底板７３上の空間Ｓ１にも連通して後側へ広げており、遊技者が空間Ｓ１へ足を伸ばし入れ可能としている。したがって、たとえ車椅子を利用する遊技者であっても、車椅子を切り欠き７７に囲まれた空間へ入れたり、空間Ｓ１へ足を伸ばし入れたりすることができ、遊技者にしてみると非常に楽な姿勢で遊技することができる。
【００５３】
また、底板７３における切り欠き７７の左右外側の部位を大きく前方へ突出させているため、遊技者が天板７６の前端際に体重をかける等しても、台車７１は前方へ転倒することがなく、安全性の向上をも図ることができる。
加えて、フレーム体７２の左右両側板８１ａ、８１ｂに連結孔８６を夫々設けている。したがって、介護施設等へ導入するにあたり、たとえばボルトとナットからなる連結具等を利用することで、支持台７０同士を連結状態で左右に並設することができ、ひいては支持台７０、７０・・の設置状態を安定させることができる。
【００５４】
（本発明の変更例について）
なお、本発明の遊技機に係る構成は、上記実施形態に何ら限定されるものではなく、支持台を含めた遊技機全体の構成は勿論、循環手段や遊技機個々に係る構成等についても、本発明の趣旨を逸脱しない範囲で必要に応じて適宜変更可能である。
【００５５】
たとえば、カバー部材の規制部について、どのように球抜き操作手段の操作を規制するかについては、球抜き操作手段の構造等に応じて適宜変更可能である。つまり、球抜き操作手段が押し込み操作する球抜きボタンであるような場合、上記実施形態の如く挿通孔を設けるのではなく、球抜き操作手段の表面を覆うような規制部を一体的に設けることによって球抜き操作手段の操作を不能とするように構成してもよい。なお、規制部が球抜き操作手段の表面を覆うにあたっては、規制部と球抜き操作手段とが接触していてもよいし、非接触であってもよい。さらに、球抜き操作手段が球抜きレバーであっても、その操作部を覆うような規制部を設けることで球抜き操作手段の操作を不能とすることは可能である。
また、カバー部材の形状（たとえば本体のどこに規制部を設けるか等）についても、皿部と球抜き操作手段の位置関係等に応じて適宜変更可能である。
さらに、上記実施形態ではカバー部材を合成樹脂製としているが、金属製のカバー部材ーであっても何ら問題はない。
【００５６】
また、吸音材をどのような形状とするかについては適宜変更可能であって、たとえば吸音材の前面に多数の凹凸を設けることにより吸音材の表面積を増やし、より効率良く吸音可能とするようにしてもよい。
さらに、背板における吸音材の取付位置についても、遊技機の後面側の構造等に応じて適宜変更可能である。
【００５７】
さらにまた、上記実施形態では、背板の下端と台車の天板との間に隙間が形成されるように背板を組み付けたり、フレーム体の天板の前後方向の長さを側板の前後方向の長さよりも短くすることで、天板の後端と背板の上部の前面との間に隙間が形成されるようにしているが、背板の上部や下部にスリットを直接設けたり、台車の天板やフレーム体の天板にスリットを直接設けたりすることでも、同様の効果を奏し得る。
加えて、遊技機を収納可能な設置空間の上部及び下部のみならず、側部等にも熱を逃がす等するための隙間を形成してもよいし、側板の内面に吸音材を取り付けても何ら問題はない。なお、フレーム体の全体的な構造についても適宜設計変更可能であり、前板や上板、底板等を設けないとしてもよいし、カード排出ユニットをフレーム体の外側に別途設置するように構成することも可能である。
【００５８】
また、上記実施形態では、景品体として遊技カードを採用しているが、遊技カードではない景品体（たとえばコイン）等を採用しても何ら問題はない。
さらに、たとえばフレーム体の天板の後端面にフックを取り付け、支持台の設置位置近傍の壁面とフックとを連結することで、支持台の前側への転倒を防止するように構成することも可能である。
【００５９】
さらにまた、モータ等を備えた遊技球の循環装置を支持台に設置することで、たとえば大当たり状態において特別可動装置へ遊技球が進入した際に賞球を払い出す等、遊技球を単に循環させるのみならず、賞球の払い出しを行うように構成することも当然可能である。
またさらに、所謂確変大当たりと非確変大当たりとの２種類の大当たりを設け、確変大当たりの場合には、開成した特別可動装置への遊技球の進入個数に拘わらず、特別遊技状態の終了後に第１特定遊技状態を生起させるように構成しても何ら問題はない。なお、大当たり時の図柄の確定表示態様の違い等により、遊技者に提供する景品体の数を異ならせる等（たとえば、「７．７．７」であると遊技カードを二枚、「２．２．２」であると遊技カードを一枚それぞれ提供する等）してもよい。
【００６０】
また、上記実施形態では、１つの制御装置で大当たり抽選等の遊技に係る主たる制御から図柄表示部における図柄の変動に係る制御まで制御するように構成しているが、従来の遊技機同様、メイン制御装置とサブ制御装置との２つの制御装置に分け、遊技に係る主たる制御はメイン制御装置で、図柄表示部における図柄の変動に係る制御等はサブ制御装置で夫々制御するように構成することも勿論可能である。
さらに、上記実施形態では、基本変動パターンと詳細変動パターンとを一対一対応としているが、同じ基本変動パターンに対して複数種類の詳細変動パターンを対応させ、カウンタ等を用いた抽選により、どの詳細変動パターンにて図柄を変動させるかを決定するように構成してもよい。
【００６１】
さらにまた、上記実施形態では、大当たり抽選としてｃカウンタ、ｄカウンタ、及びｅカウンタの３つのカウンタから数値を取得するとしているが、１つのカウンタのみで対応することも可能であるし、２つのカウンタ若しくは４つ以上のカウンタから数値を取得するように構成することも当然可能である。なお、抽選手段としての乱数は、ソフト乱数、ハード乱数のどちらでも採用可能である。
またさらに、「大当たり」とするか否かを決定するタイミングについても図柄始動口やチューリップ電動役物等といった進入手段への遊技球の進入を検出したタイミングに限らない。すなわち、進入の検出に応じて所定時間にわたり図柄を変動させた後、押しボタン等の操作手段を操作させ、当該操作のタイミングよって確定表示させる図柄を特別確定表示態様とするか否か（すなわち、「大当たり」とするか否か）を決定するように構成することも可能である。
【００６２】
また、図柄表示部をどのような構造とするかについても適宜変更可能であり、液晶表示装置に限らず、たとえばドット表示タイプの表示器や７セグメント表示器であってもよいし、所謂スロットマシンに採用されているようなドラム式若しくはベルト式の表示器を採用することも可能である。
さらに、遊技領域内に、遊技球が一時停留するような部材を設けてもよいし、一時的に遊技球が見えなくなるような構造（たとえば、遊技盤の前面側から後面側へ移動させたり、箱状に形成された遊技部材内に入れたりする等）を採用することも可能である。
さらにまた、遊技球の流下や進入手段への進入等に影響を及ぼすような可動手段（たとえば、遊技領域の下部まで流下した遊技球を再度遊技領域の上部まで持ち上げるような可動手段等）を設けてもよい。
【００６３】
また、一般的な遊技機には、たとえば前扉を開放すると当該開放を検出する開放検出手段といった所謂不正検出手段が設けられているが、本願発明に係る遊技機には、そのような不正検出手段を設けずともよい。
さらに、一般的な遊技機には、前扉やミドル枠を機枠に対して閉じた状態を維持する施錠手段を設けているが、本願発明に係る遊技機には、そのような施錠手段を設けずともよい。
【００６４】
さらに、上記実施形態では、上皿と下皿とを有するパチンコ機にカバー部材を取り付けているが、本実施形態に係るカバー部材は、上皿のみを有し、球抜き操作手段を操作することでパチンコ機本体外に遊技球が球抜きされるようなタイプのパチンコ機にも好適に取り付けることができる。
なお、特許請求の範囲、明細書および図面に記載される全ての要素（例えば、遊技領域、遊技盤、進入手段、排出口、発射手段、皿部、キャスター、台車、受け止め部、循環手段、電源装置、制御装置等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００６５】
１・・パチンコ機（遊技機本体）、３・・機枠、７・・上皿部材（皿部）、８・・上皿カバー、９・・ハンドル（発射手段）、１０・・発射装置（発射手段）、１６・・遊技領域、１７・・チューリップ式電動役物（進入手段）、１８・・特別可動装置（進入手段）、１９・・図柄始動口（進入手段）、２２・・排出口、２７・・循環部材（循環手段）。
【図１】
0006515261.tif 000002
【図２】
0006515261.tif 000003
【図３】
0006515261.tif 000004
【図４】
0006515261.tif 000005
【図５】
0006515261.tif 000006
【図６】
0006515261.tif 000007
【図７】
0006515261.tif 000008
【図８】
0006515261.tif 000009
【図９】
0006515261.tif 000010
【図１０】
0006515261.tif 000011
【図１１】
0006515261.tif 000012
【図１２】
0006515261.tif 000013
【図１３】
0006515261.tif 000014